(57)【要約】【課題】ハードディスク装置の位置決めとハードディスク装置の逆挿入防止とを簡単な構造で実現できる電子機器を提供する。【解決手段】上シャーシ２０に第１位置決め部２３が形成され、ハードディスクホルダ５０に第２位置決め部５３とストッパ部５４とが形成されている。第２位置決め部５３は、正姿勢にあるハードディスクホルダ５０をハードディスク収容室に配置しているときに左右方向において第１位置決め部２３に接触し、左右方向におけるハードディスクホルダ５０の位置を規定している。ストッパ部５４は、逆姿勢にあるハードディスクホルダ５０を前後方向で見た場合に、第１位置決め部２３と重なる位置に形成されている。【選択図】図９Ｂ
2016197480.tif 000002
【特許請求の範囲】
【請求項１】
電子機器の本体と、
ハードディスク装置を保持するためのハードディスクホルダと、
前記ハードディスクホルダが第１の方向において挿抜可能となるように構成され、前記本体に設けられている収容室と、
前記収容室に設置され、前記ハードディスクホルダが予め定めた正姿勢にあるときに前記ハードディスク装置と接続可能なコネクタと、を備え、
前記ハードディスクホルダと前記本体のうちの一方は第１位置決め部を有し、
前記ハードディスクホルダと前記本体のうちの他方は第２位置決め部とストッパ部とを有し、
前記第２位置決め部は、前記正姿勢にある前記ハードディスクホルダを前記収容室に配置しているときに前記第１の方向に対して直交する第２の方向において前記第１位置決め部に接触し、前記第２の方向における前記ハードディスクホルダの位置を規定し、
前記第１の方向と前記第２の方向の双方に対して直交する方向を第３の方向とし、前記ハードディスクホルダの向きが前記正姿勢とは前記第３の方向において反対となる姿勢を逆姿勢とした場合、前記逆姿勢にある前記ハードディスクホルダを前記第１の方向に見たときに前記ストッパ部は前記第１位置決め部と重なる位置に形成されている
ことを特徴とする電子機器。
【請求項２】
前記ハードディスクホルダを前記収容室の入り口に配置したとき、前記ストッパ部から前記第１位置決め部までの距離は、前記第２位置決め部から前記第１位置決め部までの距離よりも小さい
ことを特徴とする請求項１に記載の電子機器。
【請求項３】
前記第２位置決め部と前記ストッパ部は前記ハードディスクホルダに形成されており、
前記ストッパ部から前記ハードディスクホルダの先端までの距離は、前記第２位置決め部から前記ハードディスクホルダの先端までの距離よりも小さい
ことを特徴とする請求項２に記載の電子機器。
【請求項４】
前記ハードディスクホルダと前記本体のうちの前記一方は、前記第１の方向において前記第１位置決め部から離れて位置している第３位置決め部を有し、
前記ハードディスクホルダと前記本体のうちの前記他方は、前記第１の方向において前記第２位置決め部から離れて位置し、前記正姿勢にある前記ハードディスクホルダを前記収容室に配置しているときに前記第２の方向において前記第３位置決め部に接触する第４位置決め部を有している
ことを特徴とする請求項１に記載の電子機器。
【請求項５】
前記第１の方向における前記第１位置決め部から前記収容室の前記コネクタまでの距離は、前記第１の方向における前記第３位置決め部から前記収容室の前記コネクタまでの距離よりも大きい
ことを特徴とする請求項４に記載の電子機器。
【請求項６】
前記本体は、前記コネクタが実装される回路基板と、前記回路基板が取り付けられるシャーシとを有し、
前記第１の位置決め部は前記シャーシに形成され、
前記第２の位置決め部と前記ストッパは前記ハードディスクホルダに形成されている
ことを特徴とする請求項１に記載の電子機器。
【請求項７】
前記本体は、前記コネクタが実装される回路基板と、前記回路基板が取り付けられるシャーシとを有し、
前記第１の位置決め部は前記ハードディスクホルダに形成され、
前記第２の位置決め部と前記ストッパは前記シャーシに形成されている
ことを特徴とする請求項１に記載の電子機器。
【請求項８】
前記ハードディスクホルダと前記本体のうちの前記一方は、前記第１位置決め部として、前記第２の方向において互いに離れて位置している２つの第１位置決め部を有し、
前記ハードディスクホルダと前記本体のうちの前記他方は、前記第２位置決め部として、前記第２の方向において互いに離れて位置している２つの第２位置決め部を有し、
前記ハードディスクホルダと前記本体のうちの前記他方は、前記ストッパ部として、前記第２の方向において互いに離れて位置している２つのストッパ部を有している
ことを特徴とする請求項１に記載の電子機器。
【請求項９】
前記ストッパ部は前記第２位置決め部よりも大きく前記第２の方向に突出している
ことを特徴とする請求項１に記載の電子機器。
【請求項１０】
前記ストッパ部は前記第２位置決め部よりも大きな第３の方向での幅を有している
ことを特徴とする請求項１に記載の電子機器。
【請求項１１】
電子機器の本体に設けられている収容室に対して第１の方向において挿抜可能な、ハードディスク装置を保持するためのハードディスクホルダであって、
予め定めた正姿勢にある前記ハードディスクホルダを前記収容室に配置しているときに前記第１の方向に対して直交する第２の方向において前記本体の第１位置決め部に接触し、前記第２の方向における前記ハードディスクホルダの位置を規定する第２位置決め部と、
前記第１の方向と前記第２の方向の双方に対して直交する方向を第３の方向とし、前記ハードディスクホルダの向きが前記正姿勢とは前記第３の方向において反対となる姿勢を逆姿勢とした場合、前記逆姿勢にある前記ハードディスクホルダを前記第１の方向に見たときに前記第１位置決め部と重なる位置に形成されているストッパ部と、を備える
ことを特徴とするハードディスクホルダ。
【発明の詳細な説明】
【技術分野】
【０００１】
本発明は、ハードディスク装置を保持するホルダ及びホルダを備える電子機器に関する。
【背景技術】
【０００２】
ゲーム装置や、パーソナルコンピュータ、オーディオ・ビジュアル機器などの電子機器には、ハードディスク装置を備えるものがある。これらの装置のなかには、ハードディスク装置がユーザによって交換可能となっているものがある。特許文献１に開示される電子機器は、その前面に、ハードディスク装置及びそれを保持しているハードディスクホルダを挿入するための開口を有している。電子機器に挿入されたハードディスク装置はハードディスク装置の収容室の奥部に設置されているコネクタに接続する。ハードディスクホルダは電子機器の内部に配置されているシャーシに固定される。
【先行技術文献】
【特許文献】
【０００３】
【特許文献１】米国特許出願公開第２０１０／０２５４０８０号明細書
【発明の概要】
【発明が解決しようとする課題】
【０００４】
ハードディスク装置が収容室の奥部に設置されているコネクタに接続しているとき、ハードディスク装置はコネクタに対して適切な位置に保持されている必要がある。そのため、コネクタに対して適切な位置にハードディスク装置を保持する位置決め構造が、電子機器に設けられていることが好ましい。
【０００５】
また、ユーザはハードディスク装置を交換しようとする際、ハードディスク装置の上側と下側とを逆にした状態で収容室の開口にハードディスク装置を挿入してしまう場合がある。この場合、ハードディスク装置がコネクタに衝突する前にハードディスク装置の挿入を止める構造、すなわち逆挿入防止構造があることが望ましい。
【０００６】
本発明は、ハードディスク装置の位置決めとハードディスク装置の逆挿入防止とを簡単な構造で実現できる電子機器、及びハードディスクホルダを提供することを目的とする。
【課題を解決するための手段】
【０００７】
本発明に係る電子機器は、前記電子機器の本体と、ハードディスク装置を保持するためのハードディスクホルダと、前記ハードディスクホルダが第１の方向において挿抜可能となるように構成され、前記本体に設けられている収容室と、前記収容室に設置され、前記ハードディスクホルダが予め定めた正姿勢にあるときに前記ハードディスク装置と接続可能なコネクタと、を備える。前記ハードディスクホルダと前記本体のうちの一方は第１位置決め部を有する。前記ハードディスクホルダと前記本体のうちの他方は第２位置決め部とストッパ部とを有する。前記第２位置決め部は、前記正姿勢にある前記ハードディスクホルダを前記収容室に配置しているときに前記第１の方向に対して直交する第２の方向において前記第１位置決め部に接触し、前記第２の方向における前記ハードディスクホルダの位置を規定する。前記第１の方向と前記第２の方向の双方に対して直交する方向を第３の方向とし、前記ハードディスクホルダの向きが前記正姿勢とは前記第３の方向において反対となる姿勢を逆姿勢とした場合、前記逆姿勢にある前記ハードディスクホルダを前記第１の方向に見たときに前記ストッパ部は前記第１位置決め部と重なる位置に形成されている。
【０００８】
本発明に係るハードディスクホルダは、電子機器の本体に設けられている収容室に対して第１の方向において挿抜可能な、ハードディスク装置を保持するためのハードディスクホルダである。前記ハードディスクホルダは、予め定めた正姿勢にある前記ハードディスクホルダを前記収容室に配置しているときに前記第１の方向に対して直交する第２の方向において前記本体の第１位置決め部に接触し、前記第２の方向における前記ハードディスクホルダの位置を規定する第２位置決め部を有している。前記ハードディスクホルダは、前記第１の方向と前記第２の方向の双方に対して直交する方向を第３の方向とし、前記ハードディスクホルダの向きが前記正姿勢とは前記第３の方向において反対となる姿勢を逆姿勢とした場合、前記逆姿勢にある前記ハードディスクホルダを前記第１の方向に見たときに前記第１位置決め部と重なる位置に形成されているストッパ部を有している。
【０００９】
この電子機器及びハードディスクホルダによると、ハードディスク装置の位置決めとハードディスク装置の逆挿入防止とを簡単な構造で実現できる。
【図面の簡単な説明】
【００１０】
【図１】本発明の一実施形態に係る電子機器の分解斜視図である。
【図２】上シャーシ、回路基板、及び下シャーシの分解斜視図である。この図では回路基板等を斜め下側から臨んでいる。
【図３】上シャーシの斜視図である。この図ではハードディスク収容室を構成する部分の下側を臨んでいる。
【図４】ハードディスクホルダを示す図である。図４（ａ）は平面図であり、図４（ｂ）は側面図であり、図４（ｃ）は低面図である。
【図５】図４（ａ）において第２位置決め部が設けられている部分を拡大する図である。
【図６】図４（ｂ）において第２位置決め部が設けられている部分を拡大する図である。
【図７】図４（ａ）に示す矢印ＶＩＩの方向にハードディスクホルダを臨む図である。
【図８Ａ】正姿勢に配置されているハードディスクホルダがハードディスク収容室に収容されている様子を示す図である。
【図８Ｂ】図８Ａに示す矢印ＶＩＩＩ（Ｂ）の方向にハードディスクホルダ等を臨む図である。
【図９Ａ】逆姿勢に配置されているハードディスクホルダがハードディスク収容室の入り口の前側にある様子を示す図である。
【図９Ｂ】図９Ａに示す矢印ＩＸ（Ｂ）の方向にハードディスクホルダ等を臨む図である。
【発明を実施するための形態】
【００１１】
以下、本発明の一実施形態について説明する。図１は本発明の一実施形態に係る電子機器１の分解斜視図である。図２は上シャーシ２０、回路基板１０、及び下シャーシ３０の分解斜視図である。この図では回路基板１０等を斜め下側から臨んでいる。図３は図２に示す上シャーシ２０の斜視図である。この図では後述するハードディスク収容室を構成する部分の下側を臨んでいる。図４はハードディスクホルダ５０を示す図である。図４（ａ）は平面図であり、図４（ｂ）は側面図であり、図４（ｃ）は低面図である。図５は図４（ａ）において第２位置決め部５３が設けられている部分を拡大する図である。図６は図４（ｂ）において第２位置決め部５３が設けられている部分を拡大する図である。図７は図４（ａ）に示す矢印ＶＩＩの方向にハードディスクホルダ５０を臨む図であり、第２位置決め部５３とストッパ部５４の位置関係が示されている（図７では、図４（ａ）で示す螺子５２ａとクッション５２ｂは省略されている。）。図８Ａは、正姿勢に配置されているハードディスクホルダ５０がハードディスク収容室に収容されている様子を示す図である。図８Ｂは図８Ａに示す矢印ＶＩＩＩ（Ｂ）の方向にハードディスクホルダ５０等を臨む図である。図９Ａは逆姿勢に配置されているハードディスクホルダ５０がハードディスク収容室の入り口の前側にある様子を示す図である。図９Ｂは図９Ａに示す矢印ＩＸ（Ｂ）の方向にハードディスクホルダ５０等を臨む図である。
【００１２】
以下の説明では、これらの図に示すＹ１及びＹ２をそれぞれ電子機器１の前方向及び後方向とし、Ｘ１及びＸ２はそれぞれ右方向及び左方向とする。また、Ｚ１及びＺ２はそれぞれ上方向及び下方向とする。
【００１３】
本発明に係る電子機器は、例えばゲーム装置や、パーソナルコンピュータ、オーディオ・ビジュアル機器などであるが、本発明はハードディスク装置を備える他の電子機器に適用されてもよい。
【００１４】
図１に示すように、電子機器１は、回路基板１０（図２参照）及びシャーシ２０、３０（図２参照）を含む本体２を有している。回路基板１０及びシャーシ２０、３０は、例えば本体２が備えているフレーム３に取り付けられる。回路基板１０等に加えて、回路基板１０に実装されている集積回路などを冷却するための冷却装置や、電源ユニットなどもフレーム３に取り付けられてもよい。後において詳説するように、電子機器１はハードディスク装置９０を保持するためのハードディスクホルダ５０を有している。シャーシ２０、３０はハードディスク装置９０及びこれを保持しているハードディスクホルダ５０を収容するための収容室を構成している（以下ではこの収容室をハードディスク収容室と称する）。図１に示すように、電子機器１は、本体２の上側を覆う上カバー４と、本体２の下側を覆う下カバー５とを有している。電子機器１では、例えば上カバー４の全部又一部を取り外すことにより、ハードディスク装置９０及びハードディスクホルダ５０を露出させることができる。なお、電子機器１はこのようなカバー４、５、及びこれらのカバー４、５が覆うフレーム３を有していなくてもよい。例えば、電子機器１は上下方向において互いに組み合わされる２つのハウジング半体を備え、一方のハウジング半体に回路基板１０及びシャーシ２０、３０が取り付けられてもよい。そして、他方のハウジング半体を取り外すことにより、ハードディスク装置９０及びハードディスクホルダ５０が露出してもよい。この場合、電子機器１の本体２はハウジング半体、回路基板１０及びシャーシ２０、３０を含む。後において説明するように、本明細書で説明する例では、シャーシ２０、３０にハードディスクホルダの位置を規定する位置決め部が形成されている。本体２がハウジング半体を有している場合には、位置決め部はハウジング半体に形成されてもよい。
【００１５】
電子機器１は、回路基板１０の上面を覆う上シャーシ２０と、回路基板１０の下面を覆う下シャーシ３０とを有している。回路基板１０とシャーシ２０、３０は、螺子やボルトなどの締結部材によって上下方向において組み付けられる。シャーシ２０、３０は例えば金属の板材によって形成される。シャーシ２０、３０は必ずしも回路基板１０の全域を覆っていなくてもよい。すなわち、回路基板１０の一部はシャーシ２０、３０から露出していてもよい。
【００１６】
ハードディスク収容室にはハードディスク装置９０のコネクタ９１（図４（ｃ）参照）と接続するためのコネクタ１１が設けられている。図２に示すように、コネクタ１１は回路基板１０に取り付けられている。回路基板１０は、ハードディスク装置９０及びハードディスクホルダ５０が配置される領域を避けるように形成されている。回路基板１０の外周縁は、ハードディスク装置９０の前面（ハードディスク装置９０のコネクタ９１が設けられている面）に対向する縁１０ａを有している。コネクタ１１は縁１０ａに取り付けられている。
【００１７】
上シャーシ２０はハードディスク装置９０及びハードディスクホルダ５０を覆う部分を有している。すなわち、上シャーシ２０はハードディスク収容室の壁を構成する部分を有している。具体的には、図３に示すように、上シャーシ２０はハードディスクホルダ５０の上方に位置し、ハードディスクホルダ５０と対向する上壁部２１と、ハードディスクホルダ５０の右側及び左側にそれぞれ配置される側壁部２２とを有している。下シャーシ３０も、上シャーシ２０と同様に、ハードディスク装置９０及びハードディスクホルダ５０を覆う部分を有している。すなわち、下シャーシ３０はハードディスク収容室の壁を構成する部分を有している。具体的には、図２に示すように、下シャーシ３０はハードディスクホルダ５０の下方に位置し、ハードディスクホルダ５０と対向する下壁部３１と、ハードディスクホルダ５０の右側及び左側にそれぞれ配置される側壁部３２とを有している。上シャーシ２０の上壁部２１及び側壁部２２と、下シャーシ３０の下壁部３１及び側壁部３２は上下方向において合体し、ハードディスク収容室の壁部を構成している。
【００１８】
本明細書で開示する例では、ハードディスク収容室は電子機器１の前側に向かって開口している。したがって、ハードディスクホルダ５０とハードディスク装置９０は前後方向において、ハードディスク収容室に挿入したり、ハードディスク収容室から抜くことができる。コネクタ１１はハードディスク収容室の奥部に配置されている。コネクタ１１はハードディスク収容室の開口（入り口）に向いており、ハードディスク装置９０のコネクタ９１と前後方向において嵌合する。ハードディスク収容室が開口している方向はここで説明する例に限定されない。例えば、ハードディスク収容室は電子機器１の右側、左側或いは後側に向かって開口してもよい。
【００１９】
ハードディスクホルダ５０はハードディスク装置９０を保持するように構成されている。本明細書で開示する例では、ハードディスクホルダ５０は、図４に示すように、ハードディスク装置９０の上面と対向する上壁部５１と、ハードディスク装置９０の左右の側面にそれぞれ対向する２つの側壁部５２とを有している。２つの側壁部５２のそれぞれに螺子５２ａが取り付けられている。ハードディスク装置９０は螺子５２ａによって左右方向おいて挟まれ、ハードディスクホルダ５０に固定されている。螺子５２ａの基部と側壁部５２との間にはゴムなどの弾性材料で形成されているクッション５２ｂが配置されてもよい。ハードディスク装置９０をハードディスクホルダ５０に固定するための構造は、ここで説明した例に限られず、適宜変更されてもよい。
【００２０】
上述したように、ハードディスクホルダ５０はハードディスク収容室に対して前後方向において挿抜可能となっている。２つのシャーシ２０、３０のうち一方又は双方と、ハードディスクホルダ５０とには、左右方向におけるハードディスクホルダ５０の位置を規定する位置決め部２３、５３が設けられている（図３及び図４参照）。ここでは、本明細書の例では、上シャーシ２０に位置決め部２３が形成されている。ここでは、上シャーシ２０に設けられている位置決め部２３を第１位置決め部と称し、ハードディスクホルダ５０に設けられている位置決め部５３を第２位置決め部と称する。
【００２１】
第２位置決め部５３は、正姿勢にあるハードディスクホルダ５０をハードディスク収容室に配置しているときに左右方向において第１位置決め部２３に接触する。これにより、第２位置決め部５３は、左右方向におけるハードディスクホルダ５０の位置を規定する（図８Ａ及び図８Ｂ参照）。ここで、正姿勢とはハードディスク装置９０のコネクタ９１と回路基板１０に取り付けられているコネクタ１１との嵌合が可能となるハードディスクホルダ５０の姿勢である。本明細書の例では、正姿勢とは、図４（ａ）で示されるように、ハードディスクホルダ５０の上壁部５１がハードディスク装置９０に対して上方に位置する姿勢である。
【００２２】
ハードディスクホルダ５０はさらにストッパ部５４を有している（図４参照）。ストッパ部５４は、図９Ｂに示すように、逆姿勢にあるハードディスクホルダ５０を前後方向で見た場合に、第１位置決め部２３と重なる位置に形成されている。より詳細には、逆姿勢にあるハードディスクホルダ５０をハードディスク収容室の正面に配置した状態で、ハードディスクホルダ５０を前後方向で見た場合に、ストッパ部５４は第１位置決め部２３の前方に位置し、第１位置決め部２３と重なる。ここで逆姿勢とは、ハードディスクホルダ５０の向きが正姿勢とは上下方向において反対となる姿勢である。本明細書の例では、逆姿勢とはハードディスクホルダ５０の上壁部５１がハードディスク装置９０に対して下方に位置する姿勢である。ストッパ部５４は、正姿勢あるハードディスクホルダ５０を前後方向で見た場合には、第１位置決め部２３とは重ならない。具体的には、図８Ｂに示すように、ストッパ部５４は、正姿勢あるハードディスクホルダ５０を前後方向で見た場合には、第１位置決め部２３の下方に位置する。
【００２３】
このようなストッパ部５４によれば、逆姿勢にあるハードディスクホルダ５０がハードディスク収容室に挿入されるときに、ストッパ部５４が上シャーシ２０の第１位置決め部２３にあたるので、逆姿勢にあるハードディスクホルダ５０の挿入が阻止される。また、ハードディスクホルダ５０に形成されている第２位置決め部５３とストッパ部５４の双方が、上シャーシ２０に形成されている共通の部位（すなわち第１位置決め部２３）を利用するので、ハードディスクホルダ５０の位置決め及び逆挿入防止のための構造を簡素化できる。
【００２４】
図７に示すように、ストッパ部５４は、ハードディスクホルダ５０を前後方向において見た場合に、第２の位置決め部５３と上下方向において離れて形成されている。こうすることにより、逆姿勢にあるハードディスクホルダ５０を前後方向で見た場合に、ストッパ部５４が第１位置決め部２３と重なる。また、正姿勢にあるハードディスクホルダ５０を前後方向で見た場合には、ストッパ部５４は第１位置決め部２３とは重ならならず、第２位置決め部５３が左右方向において第１位置決め部２３と接触する。
【００２５】
本明細書の例では、第２位置決め部５３はハードディスクホルダ５０の上側部分に形成されている。具体的には、図５及び図６に示すように、第２位置決め部５３は上壁部５１の縁から左右方向の外側に突出しており、上壁部５１と同一平面に位置している。第２位置決め部５３の端部は側壁部５２よりも左右方向の外側に位置している。第２位置決め部５３をこのように上壁部５１と同一平面に形成することにより、第１位置決め部２３から受ける力に対する第２位置決め部５３の強度が確保し易くなる。第２位置決め部５３の位置はこれに限られない。例えば、第２位置決め部５３は、側壁部５２から左右方向の外側に突出してもよい。ストッパ部５４は、図７に示すように、ハードディスクホルダ５０を前後方向で見た場合に、第２の位置決め部５３の下方に位置している。後において説明するように、ストッパ部５４は側壁部５２の前縁に形成されている。ハードディスクホルダ５０を前後方向において見た場合に、第２位置決め部５３とストッパ部５４は互いに重なっていない。
【００２６】
第１位置決め部２３は、図３に示すように、例えば上シャーシ２０の上壁部２１に形成される。本明細書の例では、第１位置決め部２３は上壁部２１から下方に突出している。すなわち、第１位置決め部２３は上壁部２１からハードディスク収容室の内側に向かって突出している。第１位置決め部２３の構造や位置はこれに限られない。例えば、第１位置決め部２３は上シャーシ２０の側壁部２２に形成されてもよい。すなわち、第１位置決め部２３は上シャーシ２０の側壁部２２から左右方向の内側に向かって突出してもよい。
【００２７】
上シャーシ２０は、図３に示すように、左右方向に離れて位置する２つの第１位置決め部２３を有している（図３参照）。ハードディスクホルダ５０は、左右方向に離れて位置する２つの第２位置決め部５３を有している（図４参照）。２つの第２位置決め部５３は２つの第１位置決め部２３に左右方向においてそれぞれ接触する。本明細書の例では、２つの第２位置決め部５３は２つの第１位置決め部２３の間に位置し、それらに接触する（図８Ａ参照）。ハードディスクホルダ５０は左右方向に離れて位置する２つのストッパ部５４を有している。逆姿勢にあるハードディスクホルダ５０を前後方向で見た場合に、２つのストッパ部５４が２つの第１位置決め部２３とそれぞれ重なる。
【００２８】
図４に示すように、ストッパ部５４は第２位置決め部５３よりもハードディスクホルダ５０の先端寄りに形成されている。すなわち、ストッパ部５４からハードディスクホルダ５０の先端までの距離Ｄ１は、第２位置決め部５３からハードディスクホルダ５０の先端までの距離Ｄ２よりも小さい（ここでハードディスクホルダ５０の先端とは、ハードディスクホルダ５０の挿入方向での前側、すなわちハードディスク装置９０のコネクタ９１が設けられる側での端部を意味する）。こうすることにより、図９Ａで示すようにハードディスクホルダ５０をハードディスク収容室の入り口（開口）に配置したとき、ストッパ部５４から上シャーシ２０の第１位置決め部２３までの距離が、第２位置決め部５３から第１位置決め部２３までの距離よりも小さくなる。その結果、逆姿勢にあるハードディスクホルダ５０をハードディスク収容室に挿入しようとするときに、ハードディスクホルダ５０の挿入を早期に阻止できる。
【００２９】
上述したように、左右の側壁部５２には、ハードディスク装置９０をハードディスクホルダ５０に固定するための螺子５２ａが設けられている。図４に示すように、螺子５２ａの頭部は側壁部５２の外側に位置している。ストッパ部５４は、螺子５２ａの頭部よりもハードディスクホルダ５０の先端寄りに形成されている。こうすることにより、逆姿勢にあるハードディスクホルダ５０をハードディスク収容室に挿入しようとするときに、螺子５２ａの頭部が第１位置決め部２３にあたるまえに、ハードディスクホルダ５０の挿入を阻止できる。本明細書の例では、左右の側壁部５２のそれぞれには２つの螺子５２ａが設けられている。ストッパ部５４はいずれの螺子５２ａよりもハードディスクホルダ５０の先端寄りに位置している。
【００３０】
図４に示すように、本明細書の例では、ストッパ部５４は側壁部５２の前端に形成されている。ストッパ部５４は側壁部５２の前端から左右方向の外側に突出している。一方、上シャーシ２０の第１位置決め部２３はハードディスク収容室の前部に設けられている。より具体的には、図３及び図９Ａに示すように、第１位置決め部２３は上シャーシ２０の上壁部２１の最前部に設けられている。そのため、逆姿勢にあるハードディスクホルダ５０の最前部をハードディスク収容室に挿入した時点で、ハードディスクホルダ５０の挿入が阻止される。
【００３１】
ハードディスクホルダ５０は金属の板材に折り曲げ加工を施すことで形成されている。ストッパ部５４は、側壁部５２を構成する部分の最前部を左右方向の外側に折り曲げることで形成されている。そのため、ストッパ部５４の突出量（左右方向での幅）の調整を比較的容易に行うことができる。図７に示すように、本明細書の例では、ストッパ部５４は第２位置決め部５３よりも大きく左右方向の外側に突出している。
【００３２】
ストッパ部５４は、図７に示すように、上下方向に細長い形状を有している。そのため、逆姿勢にあるハードディスクホルダ５０をハードディスク収容室に挿入しようとするときに、ストッパ部５４が確実に第１位置決め部２３にあたる。その結果、ハードディスクホルダ５０の挿入を確実に阻止できる。本明細書の例では、ストッパ部５４の上下方向の幅は、第２位置決め部５３の上下方向の幅、すなわち第２位置決め部５３の厚さよりも大きい。また、ストッパ部５４の上下方向の幅は、第１位置決め部２３の上下方向の幅よりも大きい。
【００３３】
上シャーシ２０は、前後方向において第１位置決め部２３から離れて位置している第３位置決め部２５を有している（図３参照）。ハードディスクホルダ５０は、前後方向において第２位置決め部５３から離れて位置している第４位置決め部５５を有している（図４参照）。第４位置決め部５５は、正姿勢にあるハードディスクホルダ５０をハードディスク収容室に配置しているときに左右方向において第３位置決め部２５に接触する。この構造によると、左右方向におけるハードディスクホルダ５０の位置をより適切に制御できる。
【００３４】
図３及び図８Ａに示すように、第１位置決め部２３は第３位置決め部２５よりも回路基板１０に実装されているコネクタ１１から離れて位置している。すなわち、前後方向における第１位置決め部２３からコネクタ１１までの距離Ｄ３（図８Ａ）は、前後方向における第３位置決め部２５からコネクタ１１までの距離よりも大きい（本明細書の例では、第３位置決め部２５の下方にコネクタ１１が位置している）。これによると、逆姿勢にあるハードディスクホルダ５０をハードディスク収容室に挿入しようとするときに、コネクタ１１から遠い位置でハードディスクホルダ５０の挿入がストッパ部５４及び第１位置決め部２３によって阻止される。第１位置決め部２３と第３位置決め部２５の位置に合わせて、ハードディスクホルダ５０の第２位置決め部５３は第４位置決め部５５よりもハードディスクホルダ５０の先端から離れて位置している。
【００３５】
第４位置決め部５５はハードディスクホルダ５０の前縁に設けられている。これによると、ハードディスク装置９０とハードディスクホルダ５０とをハードディスク収容室に挿入する過程で、ハードディスク装置９０のコネクタ９１の位置が回路基板１０のコネクタ１１からずれることを抑えることができる。図４に示すように、ハードディスクホルダ５０は、上壁部５１の前縁５１ａの中央部に凹部Ｂを有している。この凹部Ｂの内側の縁が第４位置決め部５５として機能している。上シャーシ２０の第３位置決め部２５は、上壁部２１の左右方向の中心から下方に突出している（図３参照）。ハードディスクホルダ５０がハードディスク収容室に配置されているとき、ハードディスクホルダ５０の上壁部５１は上シャーシ２０の上壁部２１に沿って配置され、第３位置決め部２５が上壁部５１の前縁５１ａに形成されている凹部Ｂに嵌まっている（図８Ａ参照）。左右方向における凹部Ｂの幅は第３位置決め部２５の幅に対応している。そのため、ハードディスクホルダ５０の凹部Ｂの内側の縁が左右方向において第３位置決め部２５の外面と当たり、第４位置決め部５５として機能する。図４に示すように、凹部Ｂの左右方向の幅は、凹部Ｂの開口に向かって徐々に大きくなっている。そのため、ハードディスクホルダ５０をハードディスク収容室に挿入する過程で、ハードディスクホルダ５０がコネクタ１１に対して適切な位置に案内される。
【００３６】
第３位置決め部２５と第４位置決め部５５の位置や形状はここで説明したものに限定されず、適宜変更されてよい。例えば、第３位置決め部２５と第４位置決め部５５は必ずしも左右方向の中心に配置されなくてもよい。例えば、左右方向に離れて位置する２つの位置決め部が第３位置決め部２５として機能してもよい。また、第３位置決め部２５や第４位置決め部５５は必ずしも設けられていなくてもよい。この場合、第１位置決め部２３が、図３で示す例よりも、ハードディスク収容室の奥側に形成されてもよい。
【００３７】
図４に示すように、ハードディスクホルダ５０はその最後部に固定壁部５６を有している。固定壁部５６は上壁部５１よりも低い位置に形成され、ハードディスクホルダ５０がハードディスク収容室に配置されているとき、下シャーシ３０の下壁部３１に沿って配置される。固定壁部５６には取付穴５６ａが形成され、下壁部３１には取付穴３１ａ（図２参照）が形成されている。固定壁部５６と下壁部３１は、取付穴５６ａ、３１ａに差し込まれる螺子などの固定具によって互いに固定される。
【００３８】
以上説明したように、電子機器１では、上シャーシ２０に第１位置決め部２３が形成され、ハードディスクホルダ５０に第２位置決め部５３とストッパ部５４とが形成されている。第２位置決め部５３は、正姿勢にあるハードディスクホルダ５０をハードディスク収容室に配置しているときに左右方向において第１位置決め部２３に接触し、左右方向におけるハードディスクホルダ５０の位置を規定している。ストッパ部５４は、逆姿勢にあるハードディスクホルダ５０を前後方向で見た場合に、第１位置決め部２３と重なる位置に形成されている。これにより、逆姿勢にあるハードディスクホルダ５０がハードディスク収容室に挿入されるときに、ストッパ部５４が上シャーシ２０の第１位置決め部２３にあたるので、逆姿勢にあるハードディスクホルダ５０の挿入が阻止される。また、ハードディスクホルダ５０に形成されている第２位置決め部５３とストッパ部５４の双方が、上シャーシ２０に形成されている共通の部位（すなわち第１位置決め部２３）を利用するので、ハードディスクホルダ５０の位置決め及び逆挿入防止のための構造を簡素化できる。
【００３９】
なお、本発明は以上説明した実施形態に限られず、種々の変更が可能である。
【００４０】
例えば、電子機器１では、ハードディスク装置９０がハードディスクホルダ５０の下側に位置する姿勢が正姿勢とされていた。しかしながら、ハードディスク装置９０がハードディスクホルダ５０の上側に位置する姿勢が正姿勢とされてもよい。この場合、下シャーシ３０に第１位置決め部が形成されてもよい。
【００４１】
電子機器１では、２つのシャーシ２０、３０によってハードディスク収容室が構成されていた。しかしながら、ハードディスク収容室は１つのシャーシとこれに対向するハウジング等の外装部材とによって構成されてもよい。この場合、電子機器１は他方のシャーシを有していなくてもよい。また、位置決め部及び／又はストッパ部はシャーシではなく外装部材に形成されてもよい。
【００４２】
電子機器１では、第１位置決め部２３が上シャーシ２０に形成され、第２位置決め部５３及びストッパ部５４がハードディスクホルダ５０に形成されていた。しかしながら、シャーシ２０、３０に第２位置決め部及びストッパ部が形成され、ハードディスクホルダ５０に第１位置決め部が形成されてもよい。この場合、シャーシ２０、３０の第２位置決め部は、正姿勢にあるハードディスクホルダ５０をハードディスク収容室に配置しているときに左右方向においてハードディスクホルダ５０の第１位置決め部に接触し、左右方向におけるハードディスクホルダ５０の位置を規定してよい。また、ストッパ部は、逆姿勢にあるハードディスクホルダ５０を前後方向で見た場合に、ハードディスクホルダ５０の第１位置決め部と重なり、正姿勢にあるハードディスクホルダ５０を前後方向で見た場合に、ハードディスクホルダ５０の第１位置決め部と重ならない位置に形成されてよい。これにより、逆姿勢にあるハードディスクホルダ５０がハードディスク収容室に挿入されるときに、ストッパ部がハードディスクホルダ５０の第１位置決め部にあたるので、逆姿勢にあるハードディスクホルダ５０の挿入が阻止される。
【符号の説明】
【００４３】
１  電子機器、２  本体、３  フレーム、１０  回路基板、１０ａ  縁、１１  コネクタ、２０  上シャーシ、２１  上壁部、２２  側壁部、２３  第１位置決め部、２５  第３位置決め部、３０  下シャーシ、３１  下壁部、３１ａ  取付穴、３２  側壁部、５０  ハードディスクホルダ、５１  上壁部、５２  側壁部、５２ａ  螺子、５２ｂ  クッション、５３  第２位置決め部、５４  ストッパ部、５５  第４位置決め部、５６  固定壁部、５６ａ  取付穴、９０  ハードディスク装置、９１  コネクタ。
【図１】
2016197480.tif 000003
【図２】
2016197480.tif 000004
【図３】
2016197480.tif 000005
【図４】
2016197480.tif 000006
【図５】
2016197480.tif 000007
【図６】
2016197480.tif 000008
【図７】
2016197480.tif 000009
【図８Ａ】
2016197480.tif 000010
【図８Ｂ】
2016197480.tif 000011
【図９Ａ】
2016197480.tif 000012
【図９Ｂ】
2016197480.tif 000013